(57)【要約】【課題】  薄いカードでも円滑に排出できるカード用コネクタ装置を提供すること。【解決手段】  前端上下面を斜めにカットしてテーパ部５ａとしたカード５を挿入可能なハウジング７と、このハウジング７内に挿入されたカード５に係合して該カード５の挿入・排出方向へ移動可能なスライド部材９と、このスライド部材９をカード排出方向へ付勢するコイルばね１０と、スライド部材９に設けられたハート型カム溝１２に沿って移動可能なピン部材１１とを備え、このピン部材１１がハート型カム溝１２のロック部１２ｃに係止されることでスライド部材９を所定位置にロックするようにしたカード用コネクタ装置において、スライド部材９のカード押圧面９ｃをカード５の前端上下面の斜めカット形状に合わせてテーパ付き溝形状とした。【選択図】  図４
2006147350.tif 000002
【特許請求の範囲】
【請求項１】
前端上下面が斜めにカットされたカードを挿入可能なハウジングと、前記カードの前端部に係合可能なカード押圧面を有して該カードの挿入・排出方向に移動可能なスライド部材と、このスライド部材をカード排出方向へ付勢するばね部材とを備え、
前記スライド部材の前記カード押圧面を前記カードの斜めにカットされた前端上面と前端下面の少なくとも一方に沿ってテーパ付き形状としたことを特徴とするカード用コネクタ装置。
【請求項２】
請求項１の記載において、前記カード押圧面を前記カードの斜めにカットされた前端上下面に沿って互いに逆向きのテーパを有する形状としたことを特徴とするカード用コネクタ装置。
【請求項３】
請求項１または２の記載において、前記スライド部材が前記カード押圧面と略直交方向へ延びる延出部を有すると共に、この延出部にハート型カム溝が設けられており、前記ハウジングに前記ハート型カム溝に沿って移動可能なピン部材を支持し、このピン部材を前記ハート型カム溝のロック部に係止させることにより、前記カードの挿入に伴って移動する前記スライド部材が所定位置にロックされるように構成したことを特徴とするカード用コネクタ装置。
【発明の詳細な説明】
【技術分野】
【０００１】
本発明は、情報記憶機能を有するカードが接続されるカード用コネクタ装置にに係り、特に、スライダ部材を含むカード排出機構を備えたカード用コネクタ装置に関するものである。
【背景技術】
【０００２】
従来より、この種のカード用コネクタ装置として、ハウジング内に挿入されたカードに係合して該カードの挿入・排出方向へ移動可能なスライド部材と、このスライド部材をカード排出方向へ付勢するばね部材と、スライド部材に設けられたハート型カム溝に沿って移動可能なピン部材とを備え、このピン部材がハート型カム溝のロック部に係止されることでスライド部材を所定位置にロックするように構成したものが知られている（例えば、特許文献１参照）。
【０００３】
すなわち、かかる従来のカード用コネクタ装置において、カードをハウジングのカード挿入口から内部に挿入していくと、カードの前端部に係合して押し込まれるスライド部材がばね部材の付勢力に抗して装置奥側へ移動していき、このスライド部材の移動に伴ってピン部材がハート型カム溝に沿って摺動する。そして、カードをハウジング内に一定量挿入することでピン部材をハート型カム溝のロック部に係止させることができるので、スライド部材がロックされてカードが所定の装着位置に保持された状態となり、この状態でカード側の外部接続部がハウジング側の対応する端子部材に接続される。また、装着されているカードを排出させる場合は、装着位置に保持されているカードを挿入方向（装置奥側）へ若干量押し込むと、ピン部材がハート型カム溝のロック部から離脱してスライド部材をロック解除するため、ばね部材がスライド部材を付勢するようになる。それゆえ、カードを押し込む操作力を除去すれば、スライド部材がカードに係合しながら排出方向（装置手前側）へ移動し、該カードを所定の排出位置まで排出させることができる。
【特許文献１】特開２００３−２２８７０号公報（第４頁、図１）
【発明の開示】
【発明が解決しようとする課題】
【０００４】
昨今、この種のカード用コネクタ装置が組み込まれる携帯電話等の機器は小型化される傾向にあり、それに伴ってより小型で薄型のカード用コネクタ装置が要望されているが、カード用コネクタ装置が薄型化されていくと、それに伴ってカード自体の厚みや該カードに係合するスライド部材が薄くなるため、前述した従来技術のように、単にカードの前端部をスライド部材のカード押圧面に係合させただけでは、カードを安定的に排出させることが困難になるという問題が発生する。特に、カード挿入口に対してカードをスムーズに挿入できるようにするために、前端上下面が斜めにカットされたカードを使用する場合、カードの前端部とスライド部材のカード押圧面との接触面積が非常に小さくなるため、上記した問題は顕著なものとなる。
【０００５】
本発明は、このような従来技術の実情に鑑みてなされたもので、その目的は、薄いカードでも円滑に排出できるカード用コネクタ装置を提供することにある。
【課題を解決するための手段】
【０００６】
上記の目的を達成するために、本発明のカード用コネクタ装置は、前端上下面が斜めにカットされたカードを挿入可能なハウジングと、前記カードの前端部に係合可能なカード押圧面を有して該カードの挿入・排出方向に移動可能なスライド部材と、このスライド部材をカード排出方向へ付勢するばね部材とを備え、前記スライド部材の前記カード押圧面を前記カードの斜めにカットされた前端上面と前端下面の少なくとも一方に沿ってテーパ付き形状とした。
【０００７】
このように構成されたカード用コネクタ装置によれば、カードの挿入／排出時に、カードの斜めにカットされた前端上面と前端下面の少なくとも一方がスライド部材のカード押圧面に形成されたテーパと面接触するため、カードが上下方向へガタつかずに安定して排出できる。特に、カード押圧面をカードの斜めにカットされた前端上下面に沿って互いに逆向きのテーパを有する形状にすると、カードの上下方向へのガタを確実に防止できて好ましい。
【０００８】
上記の構成において、前記スライド部材が前記カード押圧面と略直交方向へ延びる延出部を有すると共に、この延出部にハート型カム溝が設けられており、前記ハウジングに前記ハート型カム溝に沿って移動可能なピン部材を支持し、このピン部材を前記ハート型カム溝のロック部に係止させることにより、前記カードの挿入に伴って移動する前記スライド部材が所定位置にロックされるように構成すると、カードの装着位置への挿入動作と装着位置からの排出動作とを、いわゆるプッシュ・プッシュ操作によって行うことができて好ましい。
【発明の効果】
【０００９】
本発明のカード用コネクタ装置は、カードの挿入／排出時に、カードの斜めにカットされた前端上面と前端下面の少なくとも一方がスライド部材のカード押圧面に形成されたテーパと面接触することにより、カードの上下方向へのガタがスライド部材のカード押圧面によって抑えられるので、薄いカードでも安定して排出することができる。
【発明を実施するための最良の形態】
【００１０】
発明の実施の形態について図面を参照して説明すると、図１は本発明の実施形態例に係るカード用コネクタ装置の平面図、図２は該カード用コネクタ装置の分解斜視図、図３は該カード用コネクタ装置のカード挿入完了状態を示す平面図、図４は図３のIV−IV線に沿う断面図、図５は該カード用コネクタ装置に備えられるスライド部材とカードの当接部分を示す要部説明図である。
【００１１】
これらの図に示すように、本実施形態例に係るカード用コネクタ装置は、複数の端子部材１を支持する合成樹脂製のベース部材２と、このベース部材２の上面開放端を覆う板金製のカバー部材３と、ベース部材２の内部に収納されたカード排出機構４とによって概略構成されている。
【００１２】
ベース部材２は金型内に複数の端子部材１をインサートして成形されたモールド品であり、ベース部材２の内部には後述するカード５を配置させるためのカード収納部６が画成されている。カード収納部６の上面と前面は開放されており、複数の端子部材１はカード収納部６の内底面であるベース部材２の底板に支持されている。各端子部材１の手前側の一端部は図示せぬプリント基板に半田付けされる端子部１ａとなっており、各端子部材１の後方の自由端は接触部１ｂとなっている。なお、接触部１ｂはベース部材２の底板よりも若干量上方へ突出しており、カード収納部６内に挿入されたカード５の下面に接触できるようになっている。
【００１３】
カバー部材３はステンレス等の金属板をプレス加工したもので、このカバー部材３には平板部３ａの前端を除く左右両側と後端に折曲片３ｂが形成され、平板部３ａの手前側には押圧片３ｃが形成されている。各折曲片３ｂはベース部材２の外側壁にスナップ結合やかしめ等の手段で固定されており、カード収納部６の上面開口は平板部３ａによって覆われている。なお、このようにベース部材２とカバー部材３を一体化することでハウジング７が構成され、このハウジング７の前面がカード挿入口８となっている。
【００１４】
カード排出機構４はスライド部材９とコイルばね１０およびピン部材１１を備えており、これら各部材はカード収納部６の側方に配置されている。スライド部材９は合成樹脂材にて全体的にＬ字状に成形されており、カード収納部６の方向へ突出する受部９ａと、この受部９ａから直交方向へ延びる延出部９ｂとを有している。受部９ａの前面はカード５の前端部と係合可能なカード押圧面９ｃとなっており、図５に示すように、このカード押圧面９ｃは互いに逆向きの傾斜面を内部の垂直面で繋いだテーパ付き溝形状に形成されている。延出部９ｂの上面にはハート型カム溝１２が形成されており、図３に示すように、このハート型カム溝１２は往路１２ａと復路１２ｂおよびロック部１２ｃを有している。コイルばね１０はベース部材２の後面とスライド部材９との間に介設されており、スライド部材９はコイルばね１０の弾発力によってカード排出方向へ付勢されている。ピン部材１１の一端部１１ａはハート型カム溝１２に係合しており、ピン部材１１の他端部１１ｂはベース部材２の前面側に揺動自在に支持されている。なお、カバー部材３の平板部３ａに形成された押圧片３ｃはピン部材１１に弾接しており、ピン部材１１は押圧片３ｃによってハート型カム溝１２の内底面に付勢されている。
【００１５】
このカード用コネクタ装置に使用されるカード５は平面視矩形状をなし、その下面側には各端子部材１に対応して複数の外部接続部１３が設けられている。また、カード５の前端上下面は斜めにカットされて台形状のテーパ部５ａとなっており、このテーパ部５ａによってカード５をカード挿入口８に対しスムーズに挿入できるようになっている。スライド部材９のカード押圧面９ｃはこのテーパ部５ａの形状に合わせて形成されており、前述したように、カード押圧面９ｃはテーパ部５ａの斜めにカットされた前端上下面に沿って台形溝状となっている。
【００１６】
次に、上述したカード用コネクタ装置の動作について説明する。
【００１７】
カード５をカード用コネクタ装置に挿入する前の待機状態において、ピン部材１１の一端部１１ａはハート型カム溝１２の往路１２ａの最奥部に位置しており、スライド部材９はコイルばね１０の付勢力を受けてベース部材２の手前側に保持されている。この状態からカード５をカード挿入口８に挿入してカード収納部６内へ押し込んでいくと、カード５のテーパ部５ａがスライド部材９のカード押圧面９ｃに当接して受部６ａを押し込むため、スライド部材９がコイルばね１０の付勢力に抗して装置奥側へ移動し、それに伴ってピン部材１１の一端部１１ａがハート型カム溝１２の往路１２ａの手前側へと移動する。その際、テーパ部５ａに形成された前端上下面の斜めにカットされた部位がカード押圧面９ｃの対応する傾斜面に当接するため、カード５の押し込み力がスライド部材９に確実に伝達される。そして、カード５をさらに押し込んでピン部材１１の一端部１１ａが往路１２ａの最前部に到達すると、スライド部材９のそれ以上の移動はピン部材１１によって規制されるが、ここでカード５への押し込み力を除去すれば、スライド部材９がコイルばね１０の付勢力で装置手前側へ若干量戻されるため、図３に示すように、ピン部材１１の一端部１１ａがハート型カム溝１２のロック部１２ｃに係止される。これによりスライド部材９がロックされてカード５が所定の装着位置に保持された状態となり、カード５の外部接続部１３が対応する端子部材１の端子部１ａに接続される。
【００１８】
また、挿入されたカード５を排出させる場合、図３に示すカード挿入完了位置でカード５を装置奥側（カード挿入方向）へ若干量押し込むと、ピン部材１１の一端部１１ａがハート型カム溝１２のロック部１２ｃから離脱して復路１２ｂへと移動し、スライド部材９のロックが解除される。したがって、カード５に対する押し込み力を除去すると、スライド部材９がコイルばね９に付勢されて装置手前側（カード排出方向）へ移動し、それに伴ってスライド部材９の受部６ａに係合するカード５が排出方向へ移動してカード挿入口８から突出する。この場合も、スライド部材９のカード押圧面９ｃに形成された傾斜面がカード５のテーパ部５ａに形成された前端上下面の斜めにカットされた部位に当接するため、スライド部材９の押し込み力がカード５に確実に伝達され、カード５の上下方向のガタを抑制して円滑に排出することができる。
【００１９】
なお、上記実施形態例では、カード５の前端上下面の斜めにカットされた台形状のテーパ部５ａに合わせて、スライド部材９のカード押圧面９ｃを互いに逆向きの傾斜面を有するテーパ付き溝形状とした場合について説明したが、カード押圧面９ｃの上下いずれか一方の傾斜面を省略することも可能である。
【図面の簡単な説明】
【００２０】
【図１】本発明の実施形態例に係るカード用コネクタ装置の平面図である。
【図２】該カード用コネクタ装置の分解斜視図である。
【図３】該カード用コネクタ装置のカード挿入完了状態を示す平面図である。
【図４】図３のIV−IV線に沿う断面図である。
【図５】該カード用コネクタ装置に備えられるスライド部材とカードの当接部分を示す要部説明図である。
【符号の説明】
【００２１】
１  端子部材
２  ベース部材
３  カバー部材
４  カード排出機構
５  カード
５ａ  テーパ部
６  カード収納部
７  ハウジング
８  カード挿入口
９  スライド部材
９ａ  受部
９ｂ  延出部
９ｃ  カード押圧面
１０  コイルばね（ばね部材）
１１  ピン部材
１２  ハート型カム溝
１２ａ  往路
１２ｂ  復路
１２ｃ  ロック部
１３  外部接続部
【図１】
2006147350.tif 000003
【図２】
2006147350.tif 000004
【図３】
2006147350.tif 000005
【図４】
2006147350.tif 000006
【図５】
2006147350.tif 000007